(57)【要約】      （修正有） 【課題】足袋に対して簡単に挿入でき、かつ、端部が折れたりよれたり曲がったりせずに正しい位置に挿入できる足袋用中敷きを提供する。【解決手段】足袋用中敷きは、足袋本体の中に収納する足袋用の中敷きであって、シート状の中敷き本体部と立体的構造体１２０を備えている。中敷き本体部の形状は足袋の内側底面形状に略等しい形状であるが、つま先に関しては、利用者の親指に当接する部分は設けられておらず、人差し指から小指が当接する部分は残した形状のみ設けられている。立体的構造体１２０は、中敷き本体部において利用者の中足骨が当接する部分に設けられており中足骨を持ち上げて支持する立体的形状を備えている。足袋の先端の二股部分のうち、親指側のつま先部分には装填されず、人差し指から小指までのつま先部分に中敷きつま先部１１１が装填される。【選択図】図１
0003208661.tif 000002
【実用新案登録請求の範囲】
【請求項１】
足袋本体の中に収納する足袋用中敷きであって、
足袋本体の内側底面形状に略等しい形状から、利用者の親指に当接する部分のみを設けず、人差し指から小指が当接する部分は残した形状を持ち、足袋本体の中に収納できる厚みを持つシート状の中敷き本体部と、
前記中敷き本体部において前記利用者の中足骨が当接する部分に設けられた、当該中足骨を持ち上げて支持する立体的構造体を備え、
前記足袋の先端の二股部分のうち、親指側のつま先部分には装填されず、人差し指から小指までのつま先部分には装填される足袋用中敷き。
【請求項２】
前記中敷き本体部の表面側が、パイル生地、木綿生地、合成繊維のいずれかの素材またはそれらの組み合わせで形成され、
前記中敷き本体部の裏面側が、コルク材、ウレタン材、ゴム材のいずれかの素材またはそれらの組み合わせで形成されたものであることを特徴とする請求項１に記載の足袋用中敷き。
【請求項３】
前記立体的構造体の素材が、ウレタン、エラストマー、シリコーン、ゲル材、スポンジ、ゴムのいずれかの素材またはそれらの組み合わせで形成されたものであることを特徴とする請求項１に記載の足袋用中敷き。
【考案の詳細な説明】
【技術分野】
【０００１】
本考案は、足袋を使用中の利用者の足のアーチ構造を整え、その機能回復を行うことができ、疲労を感じにくいまたは緩和することができる足袋用の中敷きに関する。
【背景技術】
【０００２】
靴の中底に載置される靴用中敷きは広く普及している。中敷にも様々なタイプがある。
平面タイプの中敷きは、全体的に平面的で、いわゆるシューフィッティングを目的とし、通気性、消臭、クッション性などを重視した中敷きである。
立体タイプの中敷きは、全体的に凹凸や起伏が設けられており、３次元的に足裏に沿って足の骨格のゆがみを矯正するという矯正機能を重視した中敷きもある。
足裏は人の体重がかかるため、骨格のゆがみなどがあれば、起立時や歩行時において繰り返し荷重が足裏にかかり続けると、中足骨のアーチが崩れてしまう扁平足などの障害や下肢疾患を引き起こす場合もあり得る。その症状が悪化すれば歩行自体が困難になるなど日常生活そのものが維持できなくなる重要な問題を招く。そこで、足の骨格を補正し、足部の機能障害を予防、治療する目的で中敷きが使用される。
【０００３】
人間の歩行のメカニズムは、まず、足の踵が着地し、その後、踵部に掛かった重心が前足部へ移動するとともに、第５中足骨の骨頭部から第１中足骨の骨頭部へ移動して安定した立位となり、その後、中足趾節関節が反るような形態で、主として第１中足骨の骨頭部（母指球）を支点として床面を蹴り上げて離床するものである。この歩行のメカニズムに沿った理想的な歩行が行われることで、身体各部への負担が少なくなり、種々の障害の発生を防止することができる。立体タイプの中敷きは足の骨格を補正する。
【０００４】
ここで、足袋について考察する。
足袋は、いわゆる内履きであり、靴とは異なるため、足袋用の中敷きというものは一般には普及していない。
足袋は、昔は生活の中で常用されていたが、近年は、茶道や華道の稽古という場や、旅館や飲食店の女将や中居の仕事の場で多用される。つまり、くつろぎの場ではなく、何らかの作業や仕事を使用している間に使用される。そのため、靴と同様、通気性、消臭、クッション性などを重視した平面タイプの中敷きが求められ、さらに、足のトラブルを抱える者にとっては、足袋を内履きとして使用している際にも足の骨格の補正は望ましい。
【０００５】
従来技術において、数は少ないが、足袋用の中敷きが幾つか知られている。
図４は特開２０１３−２２０６６号公報に記載された足袋用の中敷きを示す図である。
特開２０１３−２２０６６号公報には、足袋本体の内側底面形状に略等しい形状の平面タイプの中敷き１０が開示されている。
中敷き１０には弾性のある部材が利用できる。例えば、エラストマー等の樹脂製であることが開示されている。弾性ある部材であれば歩行時の衝撃を吸収する適度なクッション性が得られるため、疲労を低減することができる。なおこのような弾性体に代わって、ゲル材を用いたり、積層体としたりすることも開示されている。さらに、中敷き１０の底面の摩擦係数を大きくして、中敷き１０が足袋１００ の内部で位置ずれすることを抑制することも開示されている。
【０００６】
【特許文献１】特開２０１３−２２０６６号公報
【考案の開示】
【考案が解決しようとする課題】
【０００７】
しかし、足袋用の中敷きは、靴用の中敷きとは異なり、袋状のものの中に挿入して装着しなければならないため、装着が比較的難しいという問題がある。
中敷き本体は薄いものであるため、端部が折れたりよれたり曲がったりしやすく、端部が折れたりよれたり曲がったまま足袋を履くと、足に違和感を覚えてかえってストレスを受けることもあり得る。
なお、足袋はつま先が二股に分かれているため、中敷きの柔らかいつま先部分を二股に正しく挿入することが比較的難しい。もし、足先の部分が折れたりよれたり曲がったりしたままであれば、足指は感覚が鋭いため、特に違和感を強く覚えることとなる。
【０００８】
上記した従来の足袋用の中敷き１０では、先端部分は二股に分かれているのみであり、特段に工夫はなされていない。袋状の足袋の中に単に挿入して行き、さらに二股に分かれているつま先部分に、左右とも偶然正しく入れば挿入可能である。
【０００９】
しかし、中敷き側のつま先部分は細く小さくなっており、一方、足袋のつま先部分は小さな袋体になっており、両者を同時に正しい姿勢にて挿入することは容易ではない。
なお、中敷きにおいてつま先部分をすべて除去してしまうという工夫を行った場合、足袋の形状と中敷きの形状が大きく異なってしまい、足袋を使用中に足袋の内部で中敷きがずれてしまうおそれがある。
【００１０】
そこで、本考案は、足袋に対して簡単に挿入でき、かつ、端部が折れたりよれたり曲がったりせずに正しい位置に挿入できる足袋用中敷きを提供することを目的とする。
【課題を解決するための手段】
【００１１】
上記目的を達成するため、本考案の足袋用中敷きは、足袋本体の中に収納する足袋用中敷きであって、足袋本体の内側底面形状に略等しい形状から、利用者の親指に当接する部分のみを設けず、人差し指から小指が当接する部分は残した形状を持ち、足袋本体の中に収納できる厚みを持つシート状の中敷き本体部と、前記中敷き本体部において前記利用者の中足骨が当接する部分に設けられた、当該中足骨を持ち上げて支持する立体的構造体を備え、前記足袋の先端の二股部分のうち、親指側のつま先部分には装填されず、人差し指から小指までのつま先部分には装填される足袋用中敷きである。
上記構成により、足袋の形状と中敷きの形状が略等しく内部で中敷きが遊ぶことはない。つま先の部分については、親指側には中敷きがないが人差し指から小指に該当する側には中敷きがあり、二股のつま先の一方のみを正しく挿入するのは比較的容易である。
【００１２】
本考案の足袋用中敷きでは、利用者の中足骨が当接する部分に中足骨を持ち上げて支持する立体的構造体があるため、靴を脱いだ内履きの状態でも足の骨格の補正が可能となる。
なお、上記構成において、素材については、中敷き本体部の表面側がパイル生地、木綿生地、合成繊維のいずれかの素材またはそれらの組み合わせで形成され、中敷き本体部の裏面側が、コルク材、ウレタン材、ゴム材のいずれかの素材またはそれらの組み合わせで形成されたものとすることができる。
表面がパイル素材であれば、足袋を使用していても絨毯の上を歩いているような感覚も得られて使用感が良い。
【考案の効果】
【００１３】
本考案の足袋用中敷きによれば、足袋の形状と中敷きの形状が略等しく内部で中敷きが遊ぶことはなく、かつ、つま先の部分については、親指側には中敷きがないが人差し指から小指に該当する側には中敷きがあり、二股のつま先の一方のみを正しく挿入すれば良く、比較的容易に中敷きを装着できる。
【図面の簡単な説明】
【００１４】
【図１】本考案にかかる足袋用中敷き１００を簡単に示した図である。
【図２】本考案の足袋用中敷き１００の中敷き表面材１１４をめくって内部の立体的構造体１２０を示した図である。
【図３】足袋２００に本考案の足袋用中敷き１００を装着した様子を示す図である。
【図４】従来技術における特開２０１３−２２０６６号公報に開示された足袋用の中敷きを示す図である。
【考案を実施するための最良の形態】
【００１５】
以下、図面を参照しつつ、本考案の足袋用中敷きの実施例を説明する。ただし、本考案の範囲は以下の実施例に示した具体的な用途、形状、個数などには限定されないことは言うまでもない。
【実施例１】
【００１６】
本考案の足袋用中敷きの例を示す。
図１は、本考案の足袋用中敷き１００を簡単に示した図である。一例として、右足用のものを示したが、左足用のものは左右対称形であれば良い。
図１（ａ）は、本考案の足袋用中敷き１００の表面側を模式的に示した平面図、図１（ｂ）はＡ−Ａ線断面で示した縦断面図である。
図２は、本考案の足袋用中敷き１００の中敷き表面材１１４をめくって内部の立体的構造体１２０を見た図である。
ごく簡単に示されており、内部構造が分かりやすいように、凹凸などは適宜図示している。
【００１７】
まず、図１を参照しつつ、実施例１にかかる足袋用中敷き１００を説明する。
本実施例１の構成例では、足袋用中敷き１００は、中敷き本体部１１０、中敷きつま先部１１１、中敷き中央部１１２、中敷き踵部１１３、中敷き表面材１１４、中敷き裏面材１１５、立体的構造体１２０を備えた構成となっている。
【００１８】
中敷き本体部１１０は、足袋用中敷き１００全体の外形を形成する部材である。中敷き本体部１１０の全体形状は、親指部分を除いて、足袋本体の内側底面形状に略等しい形状となっている。中敷き本体部１１０の厚みは、足袋本体の中に収納できる厚みを持つシート状のもので良い。
【００１９】
中敷きつま先部１１１は、図１に示すように、二股にはなっておらず、人差し指から小指側のつま先部分しか設けられておらず、親指側のつま先部分は設けられていない。つまり、二股の親指側のものがなく、親指側には中敷きに相当するものが設けられていない。
【００２０】
中敷き中央部１１２は、範囲としては中央付近という程度の意味合いであるが、いわゆる中足骨から土踏まずに相当する部位がカバーされる範囲を含んでいる。この中敷き中央部１１２の内部には立体的構造体１２０が埋設されている。
【００２１】
中敷き踵部１１３は、踵が当接する部位であり、この例では立体的構造体１２０が埋設されておらず、立体的構造体１２０の下縁が湾曲した形状となっているので、中敷き踵部１１３が利用者の踵にフィットしやすい形状となっている。
【００２２】
中敷き表面材１１４は、素材としては特に限定されないが、利用者の足に直接触れる部分であるので、肌心地が良いものが好ましく、例えば、パイル生地、木綿生地、合成繊維のいずれかの素材またはそれらの組み合わせで形成されたものとすることができる。
【００２３】
中敷き裏面材１１５は、素材としては特に限定されないが、足袋の内側底面と当接する部分であるので、滑りにくい摩擦係数の比較的大きな素材が好ましく、例えば、コルク材、ウレタン材、ゴム材のいずれかの素材またはそれらの組み合わせで形成されたものとすることができる。
内部に立体的構造体１２０を挟み込み、中敷き表面材１１４と中敷き裏面材１１５を貼り合わせて一体化することにより本考案の足袋用中敷き１００が製作されている。
【００２４】
次に、立体的構造体１２０を説明する。
立体的構造体１２０は、中敷き本体部１１０に埋設された立体的な構造体であり、利用者の中足骨が当接する部分に設けられ、中足骨を持ち上げてアーチ構造を支持するものである。
立体的構造体１２０が内部に封入されていると、表面の中敷き表面材１１４はクッション性のある柔らかい素材であるので、中敷き表面材１１４の表面に立体的構造体１２０の凹凸が現れる。
【００２５】
図２は、中敷き表面材１１４をめくり上げ、内部に挟持されている立体的構造体１２０を見た様子である。
立体的構造体１２０は、素材としては特に限定されないが、ウレタン、エラストマー、シリコーン、ゲル材、スポンジ、ゴムのいずれかの素材またはそれらの組み合わせで形成されたものが好ましい。
立体的構造体１２０の立体的形状自体は、中足骨のアーチ形状を持ち上げて支持するための形状であれば良く、細かい点については様々な形状があり得る。
【００２６】
図１の例では、中足骨のアーチ形状を持ち上げて支持するための凸形状である部分１２１が設けられている。いわゆる"横アーチ構造"を支持するための形状である。
また、内周側のエッジ付近の盛り上がりの凸形状である部分１２２が設けられているが、この部分１２２は、内周側、つまり親指から踵に至るまでのいわゆる"縦アーチ構造"を支持するための形状である。
また、外周側のエッジ付近の盛り上がりの凸形状である部分１２３が設けられているが、この部分１２３は、外周側、つまり小指から踵に至るまでのいわゆる"縦アーチ構造"を支持するための形状である。
立体的構造体１２０には、図１に示した部分１２１、部分１２２、部分１２３以外にも他の立体的構造を設けても良いことは言うまでもない。
【００２７】
なお、立体的構造体１２０の素材は、横アーチ構造、縦アーチ構造を支持するためにはある程度の構造強度が求められる一方、硬すぎると使用感を低下させてしまう可能性があるため、適度な硬度とすることが好ましい。
以上が各構成要素の簡単な説明である。
【００２８】
次に、足袋に装着した状態を示す。
図３は、足袋２００に本考案の足袋用の中敷き１００を装着した様子を示す図である。
足袋２００に対して、本考案の足袋用の中敷き１００が装着されている。
図３に示すように、足袋２００のつま先は二股に分かれており、親指側の袋、人差し指から小指までの袋があるが、本考案の足袋用の中敷き１００のつま先は、親指側には中敷きが設けられておらず、人差し指から小指までのみ中敷きが設けられている。
従来の足袋用中敷きは、中敷きの先端部分も二股に分かれており、二股に分かれている足袋のつま先の両方ともに二股になっている中敷きのつま先をそれぞれ挿入する必要があったが、それは手間で難しく、一方が折れたりよれたり曲がったりしやすかったが、本考案の足袋用中敷き１００では、中敷きのつま先は二股ではなく一方しかないため、中敷き先端を比較的容易に正しい位置に挿入しやすい。
また、親指側には中敷きがなく、親指は直接足袋に触れるが、利用者にとって親指により中敷きを介することなく直接足袋にグリップすることができるため、歩行や立ち座りの動作の際に、親指を十分に用いることができる。
【００２９】
以上が本考案の足袋用中敷き１００の説明である。
本考案の技術的範囲を逸脱することなく種々の変更が可能であることは理解されるであろう。
以上、本考案の好ましい実施形態を図示して説明してきたが、本考案は、足袋用の中敷きとして広く適用することができる。
【符号の説明】
【００３０】
１００  足袋用中敷き
１１０  中敷き本体部
１１１  中敷きつま先部
１１２  中敷き中央部
１１３  中敷き踵部
１１４  中敷き表面材
１１５  中敷き裏面材
１２０  立体的構造体
２００  足袋
【図１】
0003208661.tif 000003
【図２】
0003208661.tif 000004
【図３】
0003208661.tif 000005
【図４】
0003208661.tif 000006